(57)【要約】【課題】本発明は、スムーズに揺れが無く蓋を開閉することができるごみ箱を提供することを目的とする。【解決手段】ごみ箱は、底台４と、底台４上に設けられる筒と、筒の下部に設けられるペダルと、筒の上端に設けられる蓋と、を有している。ごみ箱内部には、ペダルに連結される第一連結棒１４と蓋に連結される第二連結棒１６とを有する連結機構１２と、底台４と第一又は第二連結棒１４，１６との間に連結されるダンパー１８と、ダンパー１８と連結された第一又は第二連結棒１４，１６が定位置に設置される補助定位置装置４０と、を有し、ダンパー１８の両端は確実に定位置に設置される。【選択図】        図２
2004331312.tif 000002
【特許請求の範囲】
【請求項１】
底面となる底台と、
前記底台上に設けられる筒と、
該筒の下部に設けられるペダルと、
前記筒の上端を覆う蓋と、を有するごみ箱であって、
前記ペダルと連結する第一端及び孔が形成された第二端を有する第一連結棒と、前記第一連結棒の第二端の孔に貫通する第一端及び前記蓋に連結される第二端を有する第二連結棒と、を有する連結機構と、
一端が前記底台に形成された突起部に回転可能に係合され、他端に前記第二連結棒の第一端が貫通されるダンパーと、
前記底台に設置され、前記第二連結棒の第一端を上下に移動できるように案内する溝が形成された補助定位置装置と、を有し、
前記ペダルを押すことにより蓋が開き、前記ペダルを放すことにより蓋が閉じることを特徴とするごみ箱。
【請求項２】
前記ダンパーは第一円筒及び第二円筒を有し、前記第一円筒の端面に形成された凸部は前記底台の突起部に係合され、第二円筒の端面に形成されたパイプには、前記第二連結棒の第一端が貫通されることを特徴とする請求項１に記載のごみ箱。
【請求項３】
前記ダンパーは前記第二円筒が嵌合される穴が形成された環状蓋を有し、前記環状蓋の内周に形成されたネジ溝は、前記第一円筒の外周に形成されたネジ山に螺合されることを特徴とする請求項２に記載のごみ箱。
【請求項４】
前記第二円筒は、前記第一円筒内に挿入されることを特徴とする請求項２に記載のごみ箱。
【請求項５】
前記ダンパーはリングを有し、前記第二円筒の先端の外周に、前記リングが取り付けられる溝が形成されていることを特徴とする請求項４に記載のごみ箱。
【請求項６】
前記ダンパーはばねを有し、前記ばねは前記第一円筒内の端面と前記第二円筒内の端面との間に設置されることを特徴とする請求項５に記載のごみ箱。
【請求項７】
前記底台の突起部及び前記第一円筒の凸部には、共に横方向の孔が形成され、ピンが前記突起部及び前記凸部の孔に貫通されることを特徴とする請求項２に記載のごみ箱。
【請求項８】
前記パイプは、前記第二円筒の端面から横方向にＬ字に形成され、前記第二連結棒の第一端が貫通される孔が形成されていることを特徴とする請求項２に記載のごみ箱。
【請求項９】
前記補助定位置装置には上下方向に長い直方体形状の溝が形成され、該溝には前記第二連結棒の第一端が設置されることを特徴とする請求項１に記載のごみ箱。
【請求項１０】
前記ダンパーと前記補助定位置装置とは、前記底台に取り付けられる箱に覆われることを特徴とする請求項１に記載のごみ箱。
【請求項１１】
前記ダンパーは前記第一円筒及び往復部材を有し、前記第一円筒の端部は前記底台に係合され、前記往復部材の端部は前記第二連結棒の第一端に取り付けられることを特徴とする請求項１に記載のごみ箱。
【請求項１２】
前記往復部材はパイプを有し、該パイプは前記往復部材の中央の面から横方向にＬ字に形成され、前記第二連結棒の第一端が貫通される孔が形成されていることを特徴とする請求項１１に記載のごみ箱。
【請求項１３】
前記往復部材の一端の棒にはピストンが結合され、該ピストンは前記第一円筒内に収容されることを特徴とする請求項１１に記載のごみ箱。
【請求項１４】
前記ダンパーは、前記往復部材の棒が貫通される穴が形成された環状蓋を有し、該環状蓋の内周のネジ溝は前記第一円筒の外周のネジ山に螺合され、前記環状蓋と前記ピストンとの間にはシートが設けられることを特徴とする請求項１１に記載のごみ箱。
【請求項１５】
前記ピストンには油を流通させる孔が形成され、外周には環状の凸部が設けられていることを特徴とする請求項１１に記載のごみ箱。
【発明の詳細な説明】
【０００１】
【発明の属する技術分野】
本発明は、ごみ箱に係り、特に、ペダルによって蓋を開閉することができるごみ箱に関するものである。
【０００２】
【従来の技術】
従来より、ペダルを押すことにより、蓋を開けることができるごみ箱が知られている。ごみ箱は、底台と筒と蓋とペダルとを有している。ごみ箱の蓋を開閉させる装置は、第一連結棒と第二連結棒と２つの固定部材と嵌合部材と容器とを有している。
【０００３】
２つの固定部材と嵌合部材とは、上下方向の固定部材の下端に軟質ゴムから作られた円形状の嵌合部材が設けられ、上下方向の固定部材と嵌合部材との間に横方向の固定部材が設けられている。第一連結棒の一端はペダルに連結され、他端は横方向の固定部材に嵌合される。ごみ箱の第二連結棒の上端はごみ箱の蓋に連結され、下端は上下方向の固定部材に嵌合される。底台の後側には、下方向に凸となる円筒状の容器が設けられ、２つの固定部材の下端に設けられた嵌合部材が容器に嵌合される。嵌合部材が容器内を上下に移動することによって、ごみ箱の蓋を開閉させる速度を緩やかにすることができる（例えば、特許文献１参照。）。
【０００４】
【特許文献１】
中華民国公報番号第４２９９６５号（第１−４頁、第１−６図）
【発明が解決しようとする課題】
しかしながら、第二連結棒は第二連結棒が固定されている固定部材の先端に設けられている嵌合部材が容器に嵌合されているだけで、確実に定位置に設置されていないため、蓋を開閉するとき蓋が動揺する問題が生じる。
【０００５】
また、第一連結棒は横方向の固定部材に固定されているため、ペダルを踏むことにより、第一連結棒の固定部材が上方向に回転すると、第二連結棒が固定されている固定部材の軸は斜めになって移動する。したがって、容器内に設けられる嵌合部材は直上、直下の動作を行うことができない問題が生じる。嵌合部材はスムーズに容器内を上下移動できず、甚だしく容器に噛み付いてごみ箱の開閉装置が故障する可能性がある。
【０００６】
また、嵌合部材を上下移動させる容器の設置は、底台の厚さを大幅に増加し、製品のコストを高くしてしまう。
【０００７】
本発明は、上記の問題点を解決し、スムーズに揺れが無く蓋を開閉することができるごみ箱を提供することを目的とする。
【０００８】
【課題を解決するための手段】
上記課題を解決するため、本発明は、底面となる底台と、前記底台上に設けられる筒と、該筒の下部に設けられるペダルと、前記筒の上端を覆う蓋と、を有するごみ箱であって、前記ペダルと連結する第一端及び孔が形成された第二端を有する第一連結棒と、前記第一連結棒の第二端の孔に貫通する第一端及び前記蓋に連結される第二端を有する第二連結棒と、を有する連結機構と、一端が前記底台に形成された突起部に回転可能に係合され、他端に前記第二連結棒の第一端が貫通されるダンパーと、前記底台に設置され、前記第二連結棒の第一端を上下に移動できるように案内する溝が形成された補助定位置装置と、を有し、前記ペダルを押すことにより蓋が開き、前記ペダルを放すことにより蓋が閉じることを特徴とする。
【０００９】
本発明において、ごみ箱のダンパーが底台と連結機構との間に設置される。ダンパーの第一円筒の端部は底台の突起部に係合され、第二円筒の端部は第二連結棒の第一端に取り付けられ、第二連結棒の第一端の先端は補助定位置装置の溝に設置される。これにより、ダンパーの第一円筒及び第二円筒はすべて確実に定位置に設置され、第二連結棒とダンパーの作動はよりスムーズで、蓋の開閉時の揺れを防ぐことができる。
【００１０】
また、本発明は、請求項２に記載されるように、前記ダンパーは第一円筒及び第二円筒を有し、前記第一円筒の端面に形成された凸部は前記底台の突起部に係合され、第二円筒の端面に形成されたパイプには、前記第二連結棒の第一端が貫通されることを特徴とする。
【００１１】
また、本発明は、請求項３に記載されるように、前記ダンパーは前記第二円筒が嵌合される穴が形成された環状蓋を有し、前記環状蓋の内周に形成されたネジ溝は、前記第一円筒の外周に形成されたネジ山に螺合されることを特徴とする。
【００１２】
また、本発明は、請求項４に記載されるように、前記第二円筒の開口部は、前記第一円筒内に挿入されることを特徴とする。
【００１３】
また、本発明は、請求項５に記載されるように、前記ダンパーはリングを有し、前記第二円筒の先端の外周に、前記リングが取り付けられる溝が形成されていることを特徴とする。
【００１４】
また、本発明は、請求項６に記載されるように、前記ダンパーはばねを有し、前記ばねは前記第一円筒内の端面と前記第二円筒内の端面との間に設置されることを特徴とする。
【００１５】
請求項２〜６の本発明において、ダンパーの第二円筒は、環状蓋に形成された穴に嵌合され、第二円筒の先端に形成された溝にリングを収容することにより、第二円筒が蓋から外れなくなる。第一円筒と第二円筒との間にばねを収容し、環状蓋を第一円筒に螺合することにより、第二円筒を第一円筒から出し入れすることができる。
【００１６】
また、本発明は、請求項７に記載されるように、前記底台の突起部及び前記第一円筒の凸部には、共に横方向の孔が形成され、ピンが前記突起部及び前記凸部の孔に貫通されることを特徴とする。
【００１７】
また、本発明は、請求項８に記載されるように、前記パイプは、前記第二円筒の端面から横方向にＬ字に形成され、前記第二連結棒の第一端が貫通される孔が形成されていることを特徴とする。
【００１８】
請求項７，８の本発明において、ダンパーの第一円筒の凸部が回転可能に係合され、第二円筒のパイプに第二連結棒の第一端が貫通されている。ごみ箱のペダルを足で踏んだとき、ダンパーの第一円筒が上方向に回転しながら、第二円筒が第一円筒から引き出されるため、収縮していたばねが伸ばされる。第二連結棒が上方向に移動されるため、ごみ箱の蓋を開けることができる。ペダルから足を外すと、ごみ箱の蓋の重さにより、ダンパーの第二円筒が第一円筒に押し込まれるため、ばねが収縮しながら、第一円筒が下方向に回転する。ごみ箱の蓋の重さは、ダンパーに吸収され又は阻止されるため、蓋を閉めても、大きい騒音が発生せず、緩やかに蓋を下落させることができる。
【００１９】
また、本発明は、請求項９に記載されるように、前記補助定位置装置には上下方向に長い直方体形状の溝が形成され、該溝には前記第二連結棒の第一端が設置されることを特徴とする。
【００２０】
本発明において、ダンパーの第二円筒のパイプに第二連結棒の第一端が貫通され、補助定位置装置の溝に第二連結棒の第一端の先端が設置される。ごみ箱の蓋を開閉するとき、第二連結棒の第一端が上下に移動しても、第二連結棒の第一端が溝内を移動し、横揺れが生じない。したがって、ごみ箱の蓋を開閉するとき、蓋の動揺を制限することができる。
【００２１】
また、本発明は、請求項１０に記載されるように、前記ダンパーと前記補助定位置装置とは、前記底台に取り付けられる箱に覆われることを特徴とする。
【００２２】
また、本発明は、請求項１１に記載されるように、前記ダンパーは前記第一円筒及び往復部材を有し、前記第一円筒の端部は前記底台に係合され、前記往復部材の端部は前記第二連結棒の第一端に取り付けられることを特徴とする。
【００２３】
また、本発明は、請求項１２に記載されるように、前記往復部材はパイプを有し、該パイプは前記往復部材の中央の面から横方向にＬ字に形成され、前記第二連結棒の第一端が貫通される孔が形成されていることを特徴とする。
【００２４】
請求項１１，１２の本発明において、ダンパーの第一円筒の凸部は、底台の突起部に係合され、ダンパーの往復部材のパイプには、第二連結棒の第一端が貫通される。第二連結棒の第一端が上下に移動するとき、ダンパーは第一円筒の凸部を中心に回転可能である。
【００２５】
また、本発明は、請求項１３に記載されるように、前記往復部材の一端の棒にはピストンが結合され、該ピストンは前記第一円筒内に収容されることを特徴とする。
【００２６】
また、本発明は、請求項１４に記載されるように、前記ダンパーは、前記往復部材の棒が貫通される穴が形成された環状蓋を有し、該環状蓋の内周のネジ溝は前記第一円筒の外周のネジ山に螺合され、前記環状蓋と前記ピストンとの間にはシートが設けられることを特徴とする。
【００２７】
請求項１３，１４の本発明において、往復部材の一端の棒は環状蓋に形成された穴に貫通され、棒の先端が第一円筒内のピストンに結合される。環状蓋は第一円筒に螺合され、第一円筒内に油圧油が注入される。環状蓋とピストンとの間にシートが設けられ、第一円筒内の油圧油の漏れを防ぐことができる。
【００２８】
また、本発明は、請求項１５に記載されるように、前記ピストンには油を流通させる孔が形成され、外周には環状の凸部が設けられていることを特徴とする。
【００２９】
本発明において、ピストンの外周に環状の凸部が設けられ、凸部と第一円筒が密着しているため、ピストンの外周から油圧油が漏れない。ピストンに孔が形成されているため、孔から油圧油を流通することができ、ピストンを第一円筒内で移動させることができる。開いた状態のごみ箱の蓋を閉じるとき、ダンパーの往復部材が第一円筒内に押し込まれるため、ピストンが第一円筒内を移動する。しかしながら、ピストンの孔から油圧油が少しづつしか流通しないため、蓋の重さはダンパーで吸収され、大きい騒音が発生せず、緩やかに蓋を下落することができる。
【００３０】
【発明の実施の形態】
以下、図を参照して本発明のごみ箱について説明する。
【００３１】
図１は、本実施例の立体組み立て図である。ごみ箱２は底台４と、底台４に設けられる筒６と、筒６の下部に設置されるペダル８と、開閉可能に筒６の上端に設けられる蓋１０とを有している。
【００３２】
図２は、本実施例の部分立体分解図である。連結機構１２は、図１に示すごみ箱２のペダル８及び蓋１０の間に設置されていることが示されている。連結機構１２は、第一連結棒１４と第二連結棒１６とを有し、第一連結棒１４は回転可能に底台４に設置される。第一連結棒１４は第一端１４１及び第二端１４２を有し、第一連結棒１４の第一端１４１はペダル８に連結されている。第二連結棒１６は第一端１６１及び第二端１６２を有し、第二連結棒１６の第一端１６１は第一連結棒１４の第二端１４２に連結され、第二連結棒１６の第二端１６２は蓋１０に連結されている。具体的に言えば、第一連結棒１４の第二端１４２には孔１４３が形成され、孔１４３に第二連結棒１６の第一端１６１が貫通される。このように、ペダル８を踏めば連結機構１２を通じて蓋１０を開けることができる。
【００３３】
図２は、更に本実施例の最適実施例によるダンパー１８を示し、図１に示すごみ箱２に使用される。ダンパー１８は、底台４と連結機構１２との間に設置され、並びに補助定位置装置４０に連結される。ダンパー１８と補助定位置装置４０とは、底台４に設けられる箱２９に覆われる。
【００３４】
ダンパー１８を係合するため、底台４には二つの突起部２０が設けられ、二つの突起部２０にはそれぞれ横方向の孔２２が形成されている。
【００３５】
ダンパー１８は第一円筒２４を有し、第一円筒２４は端面と開口とを有する。第一円筒２４の端面には凸部２６が設けられ、凸部２６には横方向に孔２８が形成されている。凸部２６は底台４の二つの突起部２０の間に嵌入され、ピン２１が突起部２０の孔２２及び凸部２６の孔２８に貫通される。このように、第一円筒２４は一対の突起部２０に係合され、第一円筒２４の開口の外周にはネジ山２５が形成されている。ダンパー１８は更に穴が形成された環状蓋２７を有し、環状蓋２７の内周に形成されたネジ溝は、第一円筒２４の開口のネジ山２５に螺合される。
【００３６】
ダンパー１８は更に第二円筒３６を有し、第二円筒３６には端面と開口とを有する。第二円筒３６はパイプ３８を有し、パイプ３８は端面から横方向にＬ字に形成されている。溝３０は、開口に近い第二円筒３６の外周に形成されている。リング３２は溝３０に取り付けられ、第二円筒３６内にはばね３４が収容される。第二円筒３６は環状蓋２７に形成された穴に嵌合され、第一円筒２４内に設けられる。第二連結棒１６の第一端１６１は第二円筒３６のパイプ３８の孔３８１内に貫通される。このように、第二連結棒１６の第一端１６１は、第二円筒３６のパイプ３８に連結される。
【００３７】
補助定位置装置４０は底台４に設けられ、上下方向に長い直方体形状の溝４１が形成されている。溝４１には、第二円筒３６のパイプ３８を貫通した第二連結棒１６の第一端１６１の先端が設置され、第二連結棒１６の動揺を制限することができる。したがって、ごみ箱２の蓋１０を開閉するとき、蓋１０の揺れを防ぐことができる。
【００３８】
図３は、本実施例の側面断面図であり、第二連結棒１６の第一端１６１が補助定位置装置４０の溝４１のやや下端に位置していることを示す。図４は本実施例の横断面図であり、ごみ箱２の蓋１０が閉められた状態にあることを示す。
【００３９】
図３，４に示すように、ごみ箱２のダンパー１８が収縮し、ダンパー１８のパイプ３８が底台４に近い位置にあることを示している。ばね３４は圧縮されており、第二連結棒１６の第一端１６１は補助定位置装置４０の溝４１のやや下端に位置する。
【００４０】
図５は本実施例の側面断面図であり、第二連結棒１６の第一端１６１が補助定位置装置４０の溝４１のやや上端に位置していることを示す。図６は本実施例の横断面図であり、ごみ箱２の蓋１０が完全に開いた状態にあることを示す。
【００４１】
ペダル８を足で踏むと、ごみ箱２の蓋１０は、閉じた位置から完全に開いた位置まで回転して移動される。ダンパー１８は完全に伸びて、ばね３４は圧縮されない。第二連結棒１６の第一端１６１は補助定位置装置４０の溝４１のやや上端に位置する。
【００４２】
図７は本実施例の側面断面図であり、第二連結棒１６の第一端１６１が補助定位置装置４０の溝４１の中央にあることを示す。図８は本実施例の横断面図であり、ごみ箱２の蓋１０が半分開けられた状態にあることを示す。
【００４３】
ペダル８から足が外されると、蓋１０は蓋１０の重さによって下落する。蓋１０が連結機構１２の第二連結棒１６に連結されているため、ダンパー１８の第二円筒３６が第一円筒２４に押し込まれる。伸びたばね３４が収縮されることにより、蓋１０の重さがダンパー１８に吸収され又は阻止される。このように蓋１０を閉めても、大きい騒音が発生しなく緩やかに蓋１０が下落することができる。
【００４４】
特に注意すべきことは、ダンパー１８の第一円筒２４の凸部２６は、底台４の突起部２０に係合されている。第二円筒３６のパイプ３８に形成された孔３８１には、第二連結棒１６の第一端１６１が貫通され、第二連結棒１６の第一端１６１の先端は補助定位置装置４０の溝４１に設置されている。これにより、ダンパー１８の第一円筒２４及第二円筒３６はすべて確実に定位置に設置され、第二連結棒１６とダンパー１８の作動はよりスムーズで、蓋１０の揺れを防ぐことができる。
【００４５】
図９は、第二実施例の部分分解図である。
【００４６】
第二実施例では、ダンパー１８は油圧式に変えられ、ばね３４や第二円筒３６が使用されない。第一実施例と同様な部分の説明は省略する。ダンパー１８は往復部材３１を有し、往復部材３１の一端にはパイプ３８が設けられる。パイプ３８は往復部材３１の中央の面から横方向にＬ字に形成され、パイプ３８に形成された孔３８１に第二連結棒１６の第一端１６１が貫通される。往復部材３１の中央の面の他端に棒３３が形成され、環状蓋２７に形成された穴に棒３３が嵌合される。
【００４７】
ピストン３５は往復部材３１の棒３３の先端に連結され、第一円筒２４内に収容される。環状蓋２７とピストン３５との間には、第一円筒２４内の油圧油の漏れを防ぐシート３７が設けられている。環状蓋２７の内面に形成されたネジ溝と第一円筒２４の外周に形成されたネジ山とが螺合される。ピストン３５には油を流通させる２つの孔３５２が形成され、ピストン３５の外周にはリング３５１が設けられる。リング３５１が設けられたことにより、第一円筒２４の内面とリング３５１との間に隙間が無くなり、油圧油がピストン３５の外周から漏れなくなる。
【００４８】
図１０は第二実施例の横断面図であり、ごみ箱２の蓋１０が完全に閉じた状態にあることを示す。
【００４９】
ごみ箱２のダンパー１８が収縮した状態であり、往復部材３１のピストン３５は第一円筒２４のやや凸部２６側に位置する。ピストン３５が作動すると第一円筒２４内の油圧油は、ピストン３５の孔３５２を経て第一円筒２４の一端から他端に流れる。
【００５０】
図１１は第二実施例の横断面図であり、ごみ箱２の蓋１０が完全に開いた状態にあることを示す。
【００５１】
ぺダル８を足で踏むと、ごみ箱２の蓋１０は回転して、完全に蓋１０が開く位置まで移動される。ダンパー１８のパイプ３８は完全に引き伸ばされ、往復部材３１のピストン３５は第一円筒２４のやや環状蓋２７側に位置する。
【００５２】
図１２は第二実施例の横断面図であり、ごみ箱２の蓋１０が半分開いた状態にあることを示す。
【００５３】
蓋１０が開いた状態で、ペダル８から足が外されると、蓋１０は蓋１０の重さによって下落する。蓋１０の重さはダンパー１８に吸収され又は阻止されるため、第一円筒２４内のピストン３５の一端に位置する油圧油は、ピストン３５の孔３５２を経て他端へ流れる。このように蓋１０が閉められるとき、蓋１０が緩やかに下落し、大きな騒音が発生しない。
【００５４】
上記をまとめると、本実施例のごみ箱２には次のような利点がある。
【００５５】
本実施例のごみ箱２のダンパー１８は底台４と連結機構１２との間に設置される。ダンパー１８の第一円筒２４の凸部２６は底台４の突起部２０に係合され、第二円筒３６のパイプ３８に第二連結棒１６の第一端１６１が貫通され、第二連結棒１６の第一端１６１の先端は、補助定位置装置４０の溝４１に設置される。これにより、ダンパー１８の第一円筒２４及び第二円筒３６はすべて確実に定位置に設置され、第二連結棒１６とダンパー１８の動作はよりスムーズで、揺れがなくなる。
【００５６】
また、蓋１０は蓋１０の重さによって下落するとき、蓋１０の重さはダンパー１８に吸収され又は阻止される。このように蓋１０を閉めても、大きい騒音が発生せず、緩やかに蓋１０が下落する。
【００５７】
また、第二実施例のごみ箱２のダンパー１８は、油圧式の形態で設置される。第一円筒２４内のピストン３５の一端にある油圧油は、ピストンの孔３５２を経て他端へ流れるため、蓋１０が開かれた位置から降下するとき、蓋１０の重さはダンパー１８に吸収され又は阻止される。このように蓋１０が閉められるとき、蓋１０が緩やかに下落し、蓋１０が閉まるときに大きな騒音が発生しない。
【００５８】
【発明の効果】
以上、説明したように、本発明によれば、ごみ箱の蓋は揺れが無く、スムーズに開閉することができる。また、蓋が緩やかに下落するため、大きな騒音が発生しない。
【図面の簡単な説明】
【図１】本実施例の立体組み立て図である。
【図２】本実施例の部分立体分解図である。
【図３】本実施例の側面断面図であり、第二連結棒の第一端が補助定位置装置の溝に相対してやや下端に位置していることを示す。
【図４】本実施例の横断面図であり、ごみ箱の蓋が閉められた状態にあることを示す。
【図５】本実施例の側面断面図であり、第二連結棒の第一端が補助定位置装置の溝に相対してやや上端に位置していることを示す。
【図６】本実施例の横断面図であり、ごみ箱の蓋が完全に開いた状態にあることを示す。
【図７】本実施例の側面断面図であり、第二連結棒の第一端が補助定位置装置の溝の中央にあることを示す。
【図８】本実施例の横断面図であり、ごみ箱の蓋が半分開けられた状態にあることを示す。
【図９】第二実施例の部分分解図である。
【図１０】第二実施例の横断面図であり、ごみ箱の蓋が完全に閉じた状態にあることを示す。
【図１１】第二実施例の横断面図であり、ごみ箱の蓋が完全に開いた状態にあることを示す。
【図１２】第二実施例の横断面図であり、ごみ箱の蓋が半分開いた状態にあることを示す。
【符号の簡単な説明】
２      ごみ箱
４      底台
６      筒
８      ペダル
１０，１９    蓋
１２    連結機構
１４    第一連結棒
１６    第二連結棒
１８    ダンパー
２０    突起部
２１    ピン
２２，２８    孔
２４    第一円筒
２５    ネジ山
２６    凸部
２７    環状蓋
２９    箱
３０，４１    溝
３１    往復部材
３２，３５１    リング
３４    ばね
３５    ピストン
３６    第二円筒
３７    シート
３８    パイプ
４０    補助定位置装置
【図１】
2004331312.tif 000003
【図２】
2004331312.tif 000004
【図３】
2004331312.tif 000005
【図４】
2004331312.tif 000006
【図５】
2004331312.tif 000007
【図６】
2004331312.tif 000008
【図７】
2004331312.tif 000009
【図８】
2004331312.tif 000010
【図９】
2004331312.tif 000011
【図１０】
2004331312.tif 000012
【図１１】
2004331312.tif 000013
【図１２】
2004331312.tif 000014